(57)【要約】【課題】カートリッジを簡単に取り出す。【解決手段】レンズ付きフイルムユニットは使用後に撮影済みの写真フイルム２６をカートリッジ２５に収納する。そのカートリッジ２５を取り出すために、後カバー１５に第１及び第２薄肉部３５，３６とを設ける。第１薄肉部３５は、背後から内部に向けて押し潰す範囲３７の境界に沿って設けられている。第２薄肉部３６は、押し潰す範囲の縁からカートリッジ室２３の背面及び底面を覆う一部１５ａを引き裂くための境界に沿って設けられている。【選択図】　　　　図４
2004085836.tif 000002
【特許請求の範囲】
【請求項１】
予めカートリッジが収納されるカートリッジ室と、前記カートリッジから引き出した未露光の写真フイルムが収納されるフイルム室とを備えた本体基部を複数の外カバーで覆ったレンズ付きフイルムユニットにおいて、
前記カートリッジ室の背面又は底面を開口するために、前記外カバーのうちのカートリッジ室の背面又は底面を含む範囲を覆う一カバーに厚みを薄くした薄肉部を設けたことを特徴とするレンズ付きフイルムユニット。
【請求項２】
アパーチャーと、そのアパーチャーを挟んだ一方側に形成され予めカートリッジが収納されるカートリッジ室と、他方側に形成され前記カートリッジから引き出した未露光の写真フイルムが収納されるフイルム室とを備えた本体基部の背面又は底面を後カバーで覆ったレンズ付きフイルムユニットにおいて、
該ユニットの背後から内部に向けて押し潰す範囲に沿って設けられた第１薄肉部と、前記押し潰す範囲の縁から前記カートリッジ室の背面又は底面を覆う一部を引き裂くための境界に沿って設けられた第２薄肉部とを前記後カバーに設けたことを特徴とするレンズ付きフイルムユニット。
【請求項３】
前記後カバーの一部に、前記引き裂くことに伴って前記本体基部に組み込まれる露光付与機構の一部を変形又は破損させる連結部材を設けたことを特徴とする請求項２記載のレンズ付きフイルムユニット。
【発明の詳細な説明】
【０００１】
【発明の属する利用分野】
本発明は、撮影機構を備えたユニット本体に予め写真フイルムを装填したレンズ付きフイルムユニットに関するものである。
【０００２】
【従来の技術】
通常のカメラを所持しなくても手軽に写真撮影を楽しむことができるように、本出願人からレンズ付きフイルムユニット（以下、単にフイルムユニットという）が市販されている。フイルムユニットは、簡単な撮影機構を備えたユニット本体に、予めカートリッジ付き写真フイルムを内蔵させたもので、撮影毎に行われるフイルム巻き上げ操作により露光済みの写真フイルムをカートリッジに巻き込み、撮影し終わった後には全ての写真フイルムがカートリッジの内部に収納された状態となる。このカートリッジは、底面に設けられたプルトップ式の蓋を開けることで取り出すことができる。蓋は、現像所で開放される。
【０００３】
【発明が解決しようとする課題】
この開放作業は、特開平６−２５０３３７号公報などに提案されているように、蓋の開放側先端がユニット本体との間で係止爪によって結合されているため、困難極まる作業となっていた。
【０００４】
本発明は上記事情を考慮して鑑みなされたもので、現像所でのカートリッジの取り出し作業を簡便にしたレンズ付きフイルムユニットを提供することを目的とする。
【０００５】
【課題を解決するための手段】
上記目的を達成するために本発明のレンズ付きフイルムユニットでは、カートリッジ室の背面又は底面の一部を開口するために、外カバーのうちのカートリッジ室の背面又は底面を含む範囲を覆う一カバーに厚みを薄くした薄肉部を設けたものである。薄肉部としては、指圧によって該ユニットの背後から内部に向けて押し潰すための範囲に沿って設けた第１薄肉部と、押し潰す範囲の縁からカートリッジ室の背面又は底面を覆う一部を引き裂くための境界に沿って設けた第２薄肉部とで構成するのが好適である。
【０００６】
例えば、アパーチャーとカートリッジ室との背後を後カバーで覆っている場合には、第１及び第２薄肉部とも後カバーに設ける。異なるカバーで覆っている場合には、第１薄肉部をアパーチャーやフイルム通路の背後を覆うカバーに、第２薄肉部をカートリッジ室の背面又は底面を覆うカバーにそれぞれ設ければよい。アパーチャーは、撮影レンズとの間の被写体光路を暗室に保つ暗箱に繋がっているから、第１薄肉部をその背後に設けることで押し潰しし易くなる。なお、押し潰す範囲を設ける位置としては、アパーチャーの背後に限らずフイルム通路の背後でもよい。また、一カバーの材料としては、引き裂くため、易引裂性や易破壊性の高いプラスチック材料が好適である。
【０００７】
【発明の実施の形態】
レンズ付きフイルムユニット２は、図１及び図２に示すように、撮影機構を備えたユニット本体３と、これを収納する外ケース４とから構成されており、この外ケース４を付けたままで写真撮影が行われる。外ケース４は、フイルムユニット２の外観を奇麗にするためのものであり、外面に印刷を施した紙箱又はプラスチックシート等が用いられる。この外ケース４からは、撮影レンズ５、ファインダー窓６、レリーズボタン７、撮影枚数表示窓８、及び巻き上げノブ９などが露呈している。
【０００８】
図３及び図４に示すように、ユニット本体３は、写真フイルムカートリッジ１３、前カバー１４、後カバー１５、及び本体基部１６とで構成されている。本体基部１６には、撮影レンズ５、フイルムカウンタ機構１７、シャッタ機構１８、フイルム巻止め機構１９、及びシャッタチャージ機構２０等の露光付与機構が組み込まれる。前カバー１４は、前面、平面、及び左右側面の一部を覆うように本体基部１６の前に取り付けられ、前記露光付与機構などを覆う。
【０００９】
本体基部１６には、アパーチャー２２を挟んだ両側にカートリッジ室２３とフイルム室２４とがそれぞれ一体に形成されている。カートリッジ室２３にはカートリッジ２５が、また、フイルム室２４にはカートリッジ２５から引き出した未露光の写真フイルム２６をロール状態に巻回したフイルムロール２７がそれぞれ収納され、これら両室２３，２４の間のフイルム通路にカートリッジ２５とフイルムロール２７との間のフイルム展延部２８が配される。アパーチャー２２は、撮影レンズ５との間の被写体光路を暗室に保つ暗箱２９に繋がっている。カートリッジ２５は、スプールが巻き上げノブ９の軸に係合した状態でカートリッジ室２３に収納されている。
【００１０】
カートリッジ室２３及びフイルム室２４との背面及び底面は開口されており、後カバー１５によって塞がれる。この後カバー１５には、フイルム展延部２８を背後から支持するフイルム支持部３０が内壁に一体に形成されている。フイルム支持部３０は、像面湾曲を補正するために撮影光軸上を中心とする円弧状となっている。
【００１１】
後カバー１５には、第１及び第２薄肉部３５，３６とが形成されている。第１薄肉部３５は、厚みを薄くして形成している部位であり、アパーチャー２２の一部を覆う範囲３７に沿って設けられている。第１薄肉部３５で取り囲まれた範囲３７は、指圧によって押し潰すための範囲である。
【００１２】
第２薄肉部３６も、厚みを薄くした部位であり、前記押し潰す範囲３７の縁からカートリッジ室２３の背面及び底面を覆う一部１５ａを引き裂くための境界に沿って形成されている。これら第１及び第２薄肉部３５，３６は隣接して設けられており、一辺を共有している。このように薄肉部を作ることで、厚みの厚いフイルム支持部３０が内壁に設けられていても簡単に押し潰すことや引き裂くことができ、また、図５に示すように、鋏やペンチなどの道具なしで、カートリッジ室２３の背面及び底面を開封することができる。
【００１３】
後カバー１５を形成するプラスチック材料としては、易引裂性や易破壊性の点で良好な例えば、ポリプロピレンやポリエチレンなどの材料が好適である。また、フイルム被りを防止するために、遮光性の高い色で形成することが必要である。そして、他に必要な性能としては、帯電防止性や耐候性を高める添加剤などを用いる工夫が必要である。
【００１４】
上記構成の作用を説明する。レンズ付きフイルムユニット２は、工場で予め写真フイルムカートリッジ１３を装填し、カートリッジ１３を収納したユニット本体３を外ケース４で覆った状態で提供される。
【００１５】
撮影をする前には、巻き上げノブ９をフイルム巻き上げ方向に回転操作しておく。この操作は、フイルム巻き止めがかかるまで行う。これにより、フイルムロール２７からカートリッジ２５に向けて未露光の写真フイルム２６が移送されて最初の撮影コマがアパーチャー２２にセットされる。そして、この間のフイルム移送に連動してシャッタチャージ機構２０のチャージがなされる。
【００１６】
撮影は、レリーズボタン７を押下操作する。この操作に連動してシャッタ機構が作動して撮影コマに露光が行われる。このようにしてフイルム巻き上げとシャッタレリーズとを繰り返して撮影を行う。最後の撮影コマに対して撮影を行った後には、フイルムカウンタ機構１７の枚数表示板が残りの撮影枚数がない旨の表示位置に回転する。この回転によりフイルム巻止め機構１９の作動が阻止され、その後のフイルム巻き上げ操作により全ての写真フイルム２６がカートリッジ２５に収納される。
【００１７】
使用済みのレンズ付きフイルムユニット２は現像所に提出される。現像所では、外ケース４を破いてユニット本体３を取り出す。そして、ユニット本体３の裏面の中央を指圧する。この指圧により第１薄肉部３５で囲まれた範囲３７がアパーチャー２２から暗箱２９への凹みに向けて押し潰される。そして、押し潰した範囲３７の縁を指で引っかけて引裂きすると、図５に示すように、一部１５ａを後カバー１５から第２薄肉部３６に沿って剥ぎ取ることができる。これにより、カートリッジ室２３の背面及び底面が開口される。
【００１８】
その後はカートリッジ２５をカートリッジ室２３から取り出せばよい。この取り出しは、図５に矢印で示したように、巻き上げノブ９の軸がスプールに軸方向で係合しているから、スプール軸方向に沿って底面から抜くのが容易である。なお、カートリッジ２５のうちの後カバー１５の底面側を上に持ち上げることで背面から抜くこともできる。取り出したカートリッジ２５から撮影済みの写真フイルム２６を引き出し、その写真フイルム２６を現像及びプリント処理する。
【００１９】
このように後カバー１５を完全に破壊してカートリッジを取り出す構成にしたから、新たな未露光写真フイルムを装填して再び提供する不正なフイルム詰め替えも防止することもできる。また、道具を必要としないから、リサイクルされる内部部品を壊すこともない。なお、第１薄肉部３５で囲まれた範囲３７に、指圧する旨のマークを設けるのが目印となるから好適である。そして、撮影時には利用しないからこのマークを外ケース４で隠しておけばよい。
【００２０】
ところで、第三者が新たな後カバーを作り、この後カバーを用いることで不正なフイルム詰め替えが行われる恐れがある。このようなことが行われると、再利用するユニット本体各部の適性な品質検査が行われていなため、機能保証のないままにユニット本体を再利用することとなり、一般ユーザーに対してレンズ付きフイルムユニットの信頼性を低下させる等の悪影響が生じる。
【００２１】
そこで、後カバー１５の一部１５ａを引き裂くのに伴って、シャッタ機構、シャッタチャージ機構、フイルム巻き止め機構などの露光付与機構のいずれかの部品を破損するようにしておけば、確実に再利用を防止することができる。
【００２２】
この場合には、図６及び図７に示すように、一部１５ａの内壁に、連結部材４０や連結部材４１を設ける。図６に示す連結部材４０は先端に係止爪が、また図７に示す連結部材４１は先端がレバー状になっている。これら連結部材４０，４１の先端を、シャッタ機構、シャッタチャージ機構、フイルム巻き止め機構のうちのいずれかの機構の部品に係合しておく。こうすれば、一部１５ａが剥ぎ取られたときに連結部材４０，４１が露光付与機構の部品を破損又は変形させて、その機構を非作動にする。破損又は変形させる部品としては、シャッタ機構であればシャッタ羽根を引き戻す戻しバネ、フイルム巻き上げ機構であれば巻き上げノブ９の逆転防止を行う逆止爪、シャッタチャージ機構やフイルム巻き止め機構の場合にもバネなどが好適である。バネは両端が係止されているから、そのうちの一方の係止を解除するだけで機構が作動しなくなる。
【００２３】
上記実施形態では、カートリッジ室２３の背面及び底面との両方を開口しているが、背面のみでもよいし底面のみでもよい。また、押し潰す範囲を後カバーのアパーチャーの背後としているが、フイルム通路の凹み分でも押し潰すことができるため、アパーチャーの背後でなくてもよい。さらに、引き裂かれる一部１５ａは後カバー１５の一部に限定する必要はなく、外カバーを構成するカバーでありかつカートリッジ室２３の背面又は底面の一部を覆うカバーであればいずれのカバーでもよい。
【００２４】
【発明の効果】
以上詳細に説明したように、本発明のレンズ付きフイルムユニットでは、カートリッジ室の背面又は底面を開口するために、外カバーのうちのカートリッジ室の背面又は底面を含む範囲を覆う一カバーに厚みを薄くした薄肉部を設けたから、薄肉部に沿って一カバーを破壊すればカートリッジ室の背面又は底面を簡便に開口することができる。
【００２５】
また、別の発明では、背面から内部に向けて押し潰す範囲に沿って設けられた第１薄肉部と、前記押し潰す範囲の縁から前記カートリッジ室の背面又は底面を覆う一部を引き裂くための境界に沿って設けられた第２薄肉部とを後カバーに設け、第１薄肉部で囲まれた範囲を押し潰してから引き裂くようにしたから、一カバーの一部を引き裂く作業が簡便に行える。
【図面の簡単な説明】
【図１】レンズ付きフイルムユニットの外観を示す斜視図である。
【図２】外ケースとユニット本体とを示す分解斜視図である。
【図３】前カバーと本体基部とを示す分解斜視図である。
【図４】本体基部、写真フイルムカートリッジ、及び後カバーとを示す分解斜視図である。
【図５】後カバーの一部を引裂した状態を示す斜視図である。
【図６】後カバーの一部に、露光付与機構の一部を変形又は破損させる連結部材を設けた例を示す要部斜視図である。
【図７】後カバーの一部に連結部材を設けた他の例を示す要部斜視図である。
【符号の説明】
２　レンズ付きフイルムユニット
３　ユニット本体
４　外ケース
１５　後カバー
１５ａ　後カバーの一部
２２　アパーチャー
２３　カートリッジ室
２５　カートリッジ
２９　暗箱
３５　第１薄肉部
３６　第２薄肉部
４０，４１　連結部材
【図１】
2004085836.tif 000003
【図２】
2004085836.tif 000004
【図３】
2004085836.tif 000005
【図４】
2004085836.tif 000006
【図５】
2004085836.tif 000007
【図６】
2004085836.tif 000008
【図７】
2004085836.tif 000009